(57)【要約】  【課題】  単子葉植物に代表されるような出芽力の強い雑草であっても、その発生を抑止可能な抑草材と、その抑草材の製造方法、およびその抑草材の施工方法を提供すること。  【解決手段】  本発明の抑草材は、浄水ケーキを粉砕してなる粒状浄水ケーキと、アレロパシー活性物質を含む植物性資材と、土壌固化材との混合物を主成分とする。土壌固化材を添加した場合、土壌固化材を添加しない場合に比べ、雑草の出芽を抑制することができる。【選択図】  なし【特許請求の範囲】
【請求項１】
浄水ケーキを粉砕してなる粒状浄水ケーキと、アレロパシー活性物質を含む植物性資材と、土壌固化材との混合物を主成分とする抑草材。
【請求項２】
前記粒状浄水ケーキは、浄水ケーキを粉砕して篩い分けすることにより得られる粗粒物と細粒物とを、粗粒物：細粒物＝７５：２５〜２５：７５の混合比で混合してなる請求項１に記載の抑草材。
【請求項３】
前記粒状浄水ケーキは、浄水ケーキを粒径１０ｍｍ以下に粉砕し、４．５ｍｍ目の篩にて篩い分けすることにより得られる粒径４．５ｍｍ以上１０ｍｍ以下の粗粒物と粒径４．５ｍｍ未満の粉末物を含む細粒物とを混合してなる請求項２に記載の抑草材。
【請求項４】
前記混合物は、前記細粒物１００重量部に対して、前記植物性資材１〜５重量部と、前記土壌固化材５〜３０重量部とを混合してなる請求項２または請求項３に記載の抑草材。
【請求項５】
前記植物性資材は、コーヒー粕、モミガラ、針葉樹のオガクズ、および樹木の剪定枝屑より作成したウッドチップやその粉末の中から選ばれる１種または２種以上の混合物である請求項１〜請求項４のいずれかに記載の抑草材。
【請求項６】
前記土壌固化材は、セメント系土壌固化材、石灰系土壌固化材、マグネシウム系土壌固化材、および石こう系土壌固化材の中から選ばれる１種または２種以上の混合物である請求項１〜請求項５のいずれかに記載の抑草材。
【請求項７】
前記土壌固化材は、有機高分子樹脂固化材である請求項１〜請求項５のいずれかに記載の抑草材。
【請求項８】
前記有機高分子樹脂固化材は、エチレン‐酢酸ビニル共重合エマルジョン系固化材、アクリルエマルジョン系固化材、エポキシ樹脂系固化材、および合成ゴムラテックス系固化材の中から選ばれる１種または２種以上の混合物である請求項７に記載の抑草材。
【請求項９】
前記有機高分子樹脂固化材は、生分解性有機高分子材料からなる請求項７に記載の抑草材。
【請求項１０】
浄水ケーキを粒径１０ｍｍ以下に粉砕し、該粉砕物を４．５ｍｍ目の篩にて篩い分けして粒径４．５ｍｍ以上１０ｍｍ以下の粗粒物と粒径４．５ｍｍ未満の細粒物とし、前記粗粒物と前記細粒物とを、粗粒物：細粒物＝７５：２５〜２５：７５の混合比で混合し、この混合物に用いた細粒物１００重量部に対して、アレロパシー活性物質を含む植物性資材として、コーヒー粕、モミガラ、針葉樹のオガクズ、およびアレロパシー活性を有する剪定枝屑より作成したウッドチップやその粉末の中から選ばれる１種または２種以上の混合物１〜５重量部を添加し、土壌固化材として、セメント系土壌固化材、石灰系土壌固化材、マグネシウム系土壌固化材、石こう系土壌固化材、および有機高分子樹脂固化材の中から選ばれる１種または２種以上の混合物５〜３０重量部を添加し、混合する工程からなる抑草材の製造方法。
【請求項１１】
請求項１〜請求項９のいずれかに記載の抑草材が、雑草の発生を抑制したい場所の表面において３〜５ｃｍ厚の層をなすように敷設される抑草材の施工方法。
【請求項１２】
雑草の発生を抑制したい場所の表面に、シート材を敷設してから、該シート材の上に前記抑草材が敷設される請求項１１に記載の抑草材の施工方法。
【請求項１３】
雑草の発生を抑制したい場所に繁茂する植物の地上部を刈り取ることなく押し倒して、その上に前記シート材を敷設してから、該シート材の上に前記抑草材が敷設される請求項１２に記載の抑草材の施工方法。
【請求項１４】
雑草の発生を抑制したい場所に繁茂する植物の地上部を刈り取って、その上に前記シート材を敷設してから、該シート材の上に前記抑草材が敷設される請求項１２に記載の抑草材の施工方法。
【発明の詳細な説明】
【技術分野】
【０００１】
本発明は、非農耕地である未舗装道路、道路の側道や法面、公園内の未舗装遊歩道などにおいて、雑草の発生を抑制するために利用される抑草材と、その抑草材の製造方法、およびその抑草材の施工方法に関する。
【背景技術】
【０００２】
従来、非農耕地の雑草防除は、人力による刈り取りや刈り払い機などによる物理的防除法、除草剤散布などの化学的防除法、およびアスファルトやコンクリートで舗装する土木的防除法などが行われてきた。
【０００３】
しかし、上記の物理的、化学的雑草防除法は、雑草が発生する毎に除草作業を行う必要があり、多大な労力を要する。また、刈り払い機などの機械を用いる場合、ガソリンや軽油などのエネルギー源が必要である。さらに、除草剤を使った化学的防除では、生態系に悪影響を及ぼすおそれもあることから、環境保全上できるだけ避けることが望まれている。アスファルト、コンクリート舗装などによる防除は、永続的ではあるが、高価格となるだけでなく、地表面からの放熱作用による外気温の上昇、非透水による地下水の涵養不足および無機的環境の作出など、好適生活環境を維持する上で好ましくない諸現象が誘起される。
【０００４】
こうした背景の下、本件発明者は、従来、有用な用途もなく埋め立て地等に廃棄されていた浄水処理ケーキを利用した抑草材を開発し、この抑草材を用いた雑草防除法を提案している（例えば、特許文献１参照。）。
【特許文献１】特開平８−２９１０１４号公報
【発明の開示】
【発明が解決しようとする課題】
【０００５】
しかしながら、上記特許文献１に記載の抑草材を施工した場合であっても、雑草の種類によっては、十分に出芽を抑制できないことがあり、特に、単子葉植物の出芽を抑制するためには、さらに抑草効果を高めたいとの要望があった。
【０００６】
本発明は、上記要望に応えるべく開発されたものであり、その目的は、単子葉植物に代表されるような出芽力の強い雑草であっても、その発生を抑止可能な抑草材と、その製造方法、およびその施工方法を提供することにある。
【課題を解決するための手段】
【０００７】
以下、本発明の特徴的構成について詳述する。
本発明の抑草材は、浄水ケーキを粉砕してなる粒状浄水ケーキと、アレロパシー活性物質を含む植物性資材と、土壌固化材との混合物を主成分とするものである。
【０００８】
この抑草材において、前記粒状浄水ケーキは、浄水ケーキを粉砕して篩い分けすることにより得られる粗粒物と細粒物とを、粗粒物：細粒物＝７５：２５〜２５：７５の混合比で混合してなるものが望ましい。また、浄水ケーキを粒径１０ｍｍ以下に粉砕し、４．５ｍｍ目の篩にて篩い分けすることにより得られる粒径４．５ｍｍ以上１０ｍｍ以下の粗粒物と粒径４．５ｍｍ未満の粉末物を含む細粒物とを混合してなるものであると特に望ましい。
【０００９】
また、主成分として含まれる粒状浄水ケーキ、植物性資材、および土壌固化材は、それぞれの特性が発現する程度の量が含まれていればよいが、特定の成分だけが過剰に多い比率で含まれていても相対的に他の成分の特性が弱まってしまうので、その点をも考慮すると、前記混合物は、前記細粒物１００重量部に対して、前記植物性資材１〜５重量部と、前記土壌固化材５〜３０重量部とを混合してなるものであると好ましい。
【００１０】
粒状浄水ケーキは、粗粒物の割合が高いほど透水性が高くなるので、地表に敷設した際に水たまりやぬかるみができない点では好ましい。しかし、その一方、細粒物の割合が低下するので硬度が低下し、その結果、抑草効果が弱くなる。したがって、透水性と抑草効果の両者を高くするためには、粗粒物と細粒物をバランスよく含んでいることが重要であり、粗粒物と細粒物との混合比を、粗粒物：細粒物＝７５：２５〜２５：７５とすると効果的なのである。粗粒物の割合が比較的高い場合には、土壌固化材の混合比を高めることが望ましい。
【００１１】
また、前記植物性資材は、発芽や植物の生長（根や茎葉の伸長）に抑制的に働くアレロパシー活性物質を含むものであれば何でもよいが、特に効果的なものとしては、コーヒー粕、モミガラ、針葉樹のオガクズ、および樹木の剪定枝屑より作成したウッドチップやその粉末の中から選ばれる１種または２種以上の混合物であると好ましい。アカシア、サクラ、マツ、ツゲ、およびアカメガシの剪定枝屑には、高いアレロパシー活性が認められ、有用な活性資材として有望であるが、これら以外の樹木の剪定枝屑でも、採取時期や部位によっては比較的高い活性があり、ほとんどの樹木は本植物性資材として使用することが可能である。
【００１２】
また、前記土壌固化材は、軟弱土壌やヘドロ固化材として用いられている市販の固化材を任意に利用することができ、例えば、セメント系土壌固化材、石灰系土壌固化材、マグネシウム系土壌固化材、および石こう系土壌固化材を用いることができるので、これらの中から選ばれる１種または２種以上の混合物を用いるとよい。
【００１３】
あるいは、前記土壌固化材としては、有機高分子樹脂固化材を用いることもできる。有機高分子樹脂固化材としては、例えば、エチレン‐酢酸ビニル共重合エマルジョン系固化材、アクリルエマルジョン系固化材、エポキシ樹脂系固化材、合成ゴムラテックス系固化材などを用いることができ、これらの中から選ばれる１種または２種以上の混合物を用いるとよい。
【００１４】
また、有機高分子樹脂固化材として、生分解性有機高分子材料からなる有機高分子樹脂固化材を用いるのも好ましい。生分解性有機高分子材料としては、例えば、ポリビニルアルコールやポリ乳酸などの合成高分子系のもの、デンプンやキトサンなどの天然高分子系のもの、ポリ（３‐ヒドロキシブチラート）などポリエステル系の微生物産生高分子などを挙げることができ、これらの生分解性有機高分子材料からなる有機高分子樹脂固化材を１種、または２種以上混合して用いるとよい。有機高分子樹脂固化材として、生分解性有機高分子材料からなる有機高分子樹脂固化材を用いた場合、抑草材の施工後に抑草効果を発揮した後、経時変化により有機高分子樹脂固化材は微生物による分解を受けるので、有機高分子樹脂成分が長期にわたって土壌中に残留することがない。
【００１５】
以上のような抑草材は、例えば、浄水ケーキを粒径１０ｍｍ以下に粉砕し、該粉砕物を４．５ｍｍ目の篩にて篩い分けして粒径４．５ｍｍ以上１０ｍｍ以下の粗粒物と粒径４．５ｍｍ未満の細粒物とし、前記粗粒物と前記細粒物とを、粗粒物：細粒物＝７５：２５〜２５：７５の混合比で混合して利用するが、細粒物１００重量部に対し、アレロパシー活性物質を含む植物性資材として、コーヒー粕、モミガラ、針葉樹のオガクズ、および樹木の剪定枝屑より作成したウッドチップやその粉末の中から選ばれる１種または２種以上の混合物１〜５重量部を添加し、土壌固化材として、セメント系土壌固化材、石灰系土壌固化材、マグネシウム系土壌固化材、石こう系土壌固化材、および有機高分子樹脂固化材の中から選ばれる１種または２種以上の混合物５〜３０重量部を添加し、混合する工程によって製造することができる。
【００１６】
そして、この抑草材は、次のような方法で施工することができる。
例えば、上記抑草材が、雑草の発生を抑制したい場所の表面において３〜５ｃｍ厚の層をなすように敷設される。なお、これ以上の厚さに敷設することも可能であるが、これ以上厚くしても抑草効果が著しく改善される訳ではないので、３〜５ｃｍ厚であれば十分である。敷設に際しては、単に抑草材を敷き詰めるだけでもよいが、振動や鎮圧を加えることにより、抑草材を締め固めるようにすると望ましい。
【００１７】
このようにして抑草材を施工すれば、雑草の発生を抑止することができ、特に、単子葉植物に代表されるような出芽力の強い雑草であっても、その発生を抑止することができる。
【００１８】
なお、３ｃｍ未満の厚さで敷設しても、ある程度の抑草効果は得られるので、目的によっては、３ｃｍ未満の厚さで敷設しても構わない。特に、土壌固化材の混合比を高めた場合には、０．５〜１．０ｃｍ程度の厚さで敷設しても高い抑草効果が期待できるので、例えば、道路脇の法面のような雨水が流れ去りやすい場所など、透水性が多少低くなっても構わない場所であれば、土壌固化材の混合比を高めることで、３ｃｍ未満の厚さで敷設するようにしてもよい。
【００１９】
また、宿根性雑草根やその根茎および木本植物根が残存する場所では、雑草の発生を抑制したい場所の表面に、シート材を敷設してから、該シート材の上に前記抑草材が敷設されてもよい。この場合、シート材としては、永続的な抑草効果を期待するのであれば、難分解性材料でできたシート材を用いるとよく、一方、地中に難分解性材料を残したくない場合は、生分解性プラスチックなどの易分解性材料でできたシート材を用いるとよい。このようなシート材は、透水性を考慮した場合、水を透過させる隙間を有する織布ないし不織布であると好ましいが、農業用マルチシートにピンホールを開けたものを用いてもよい。単子葉植物の切り株や根茎などからの出芽抑制には、不織布では一定の厚みを持ったものが必要であり、また、織布では折り目の細かいものが必要である。
【００２０】
さらに、抑草材の施工に際しては、前もって自生雑草の地上部を刈り取り、土壌表面を整地した後、施工するのが一般的であるが、これ以外の方法として、雑草の発生を抑制したい場所に繁茂する植物の地上部を刈り取ることなく押し倒して、その上に前記シート材を敷設してから、該シート材の上に前記抑草材が敷設されてもよい。
【００２１】
この施工方法では、刈り取り工法に比べ、手数が省けるのみならず、埋没した地上部の呼吸により地下部のエネルギー消耗を伴うため、地下部を効果的に枯死させることができる。
【発明の効果】
【００２２】
以上説明した通り、本発明によれば、単子葉植物に代表されるような出芽力の強い雑草であっても、その発生を抑止可能な抑草材と、その製造方法、およびその施工方法を提供することができる。
【発明を実施するための最良の形態】
【００２３】
次に、本発明の実施形態について一例を挙げて説明する。
（１）コーヒー粕およびモミガラが植物の生育に及ぼす影響
コーヒー粕およびモミガラが植物の生育に及ぼす影響を調べるため、次のような実験を行った。
【００２４】
ポット内の土壌表面に牧草種子（オーチャードグラス：３ｇ／ポット、シロクローバ：０．５ｇ／ポット）を散布し、その上にモミガラあるいはコーヒー粕を１ｍｍ深、３ｍｍ深施用し、その上に粒状浄水ケーキ（粒径４．５ｍｍ）を３ｃｍ深となるように充填した。そして、１ヶ月後の牧草の生育状況を調査した。結果を下記表１に示す。
【００２５】
【表１】
2005230005.tif 000002
【００２６】
表１に示した結果から、コーヒー粕ないしモミガラのいずれかと粒状浄水ケーキとを施用することにより、植物の生育が抑制されることがわかる。特に、シロクローバの場合は、いずれも出芽個体数が０であり、植物の種類にもよるものの、絶大な抑草効果があることがわかる。また、モミガラ区とコーヒー粕区は、双方とも優れた抑草効果を示しているが、特にモミガラ区とコーヒー粕区との比較においては、コーヒー粕区の方が優れた抑草効果を示していた。
（２）コーヒー粕の添加量の違いによる植物の生育に及ぼす影響
コーヒー粕の添加量の違いによる植物の生育に及ぼす影響を調べるため、次のような実験を行った。
【００２７】
施肥した土壌を１／１００００ａポットに充填し、その土壌量の０，１，２％に相当するコーヒー粕をよく混和したのち、植物（イタリアンライグラス：２０個体／ポット、シロクローバ：２０個体／ポット）を２１日間栽培し、生育量を測定した。生育量は、コーヒー粕添加割合０％の場合の乾燥物重を１００とする相対値によって示した。結果を下記表２に示す。
【００２８】
【表２】
2005230005.tif 000003
【００２９】
表２に示した結果から、コーヒー粕の添加割合が増えるほど、優れた抑草効果を示すことがわかる。
（３）アレロパシー活性物質を含む植物性資材を混練した浄水ケーキの抑草効果
アレロパシー活性物質を含む植物性資材と浄水ケーキとを混和したときの抑草効果について試験を行った。
【００３０】
具体的には、浄水ケーキを粒径１０ｍｍ以下に粉砕して、この粉砕物を４．５ｍｍ目の篩にて篩い分けすることにより、粒径４．５ｍｍ以上１０ｍｍ以下の粗粒物と粒径４．５ｍｍ未満の細粒物とし、これら粗粒物と細粒物とを５０：５０の混合比で混合した。この浄水ケーキに対し、アレロパシー活性物質を含む植物性資材を添加、混練した。
【００３１】
アレロパシー活性物質を含む植物性資材としては、コーヒー粕、オガクズ、モミガラの３種を用いた。また、コーヒー粕およびオガクズについては、混練濃度を上記細粒物に対する重量比で１，２，５，１０％の４通りに変え、モミガラについては、混練濃度を上記細粒物に対する重量比で５％ととし、９種の試料を得た。
【００３２】
以上９種の試料について、抑草効果を試験するため、施肥した土壌をポットに充填し、シロクローバおよびイタリアンライグラスの種を播き、その上から上記各試料を３ｃｍ深となるように充填した。また、上記各試料を施用していない対照用ポットも用意した。なお、シロクローバおよびイタリアンライグラス双方とも、１種の試料につき３ポットを用意し、対照用ポットについても３ポットを用意した。
【００３３】
播種後７日目、１５日目に出芽したポット数を確認し、１５日目ではシロクローバおよびイタリアンライグラス双方とも、１ポット当りの出芽数を計数して、対照用ポットに対する相対値で抑草率を算出した。また、イタリアンライグラスについては、１ポット当りの地上部重を測定した。結果を下記表３、表４に示す。
【００３４】
【表３】
2005230005.tif 000004
【００３５】
【表４】
2005230005.tif 000005
【００３６】
表３および表４に示した結果から、アレロパシー活性物質を含む植物性資材と浄水ケーキとを混和してから施用したときにも、抑草効果が得られることがわかる。シロクローバについては、各植物性資材を１％添加するだけでも抑草効果が発現することがわかる。また、各植物性資材の添加量が多くなるほど、概ね抑草効果は高くなる傾向があることがわかる。
【００３７】
イタリアンライグラスについては、コーヒー粕の場合、５％添加と１０％添加とで初めて抑草効果が見られたが、その抑草効果は５％添加の方が高く示された。また、オガクズの場合は、５％添加以上で初めて効果が発現した。
【００３８】
したがって、シロクローバに対しては、１％以上、シロクローバとイタリアンライグラスの双方に対しては５％程度添加すると、抑草効果が効率よく発現するものと考えられる。
（４）アレロパシー活性物質を含む植物性資材の他の具体例
コーヒー粕やモミガラ以外にも、アレロパシー活性物質を含む植物性資材は存在する。その一例としては、アカシア、サクラ、マツ、ツゲ、およびアカメガシなどの剪定枝屑であるが、これら以外の樹木の剪定枝屑でも比較的高い活性を示すものは数多くあり、それらもアレロパシー活性物質を含む植物性資材として利用可能である。
【００３９】
図１および図２は、これらの剪定枝屑から抽出した抽出液が、レタス種子の発芽と幼根伸長に及ぼす影響を示したグラフである。このグラフには、上記各植物の剪定枝屑から抽出した抽出液を与えた種子の発芽率と幼根伸長率が、抽出液を与えていない種子との相対値にて示されている。
【００４０】
図１および図２から明らかなように、これらの剪定枝屑には、種子の発芽および幼根伸長を抑制する物質が含まれていると考えられる。したがって、この剪定枝屑より作成したウッドチップやその粉末を抑草材に配合することにより、抑草効果を高めることができるものと考えられる。
【００４１】
なお、アレロパシー活性物質を含む植物性資材としては、発芽に対して抑制的に作用するものを抑草に利用できるのはもちろんのこと、発芽に対して促進的に作用するものであっても、幼根生長に対して抑制的に作用するものであれば、抑草に利用できると考えられる。
（５）抑草材の製造例
浄水ケーキを粒径１０ｍｍ以下に粉砕して、この粉砕物を４．５ｍｍ目の篩にて篩い分けすることにより、粒径４．５ｍｍ以上１０ｍｍ以下の粗粒物と粒径４．５ｍｍ未満の細粒物とし、これら粗粒物と細粒物とを５０：５０の混合比で混合した。そして、細粒物１００ｋｇに対して、アレロパシー活性物質を含む植物性資材として、コーヒー粕２．５ｋｇを添加し、土壌固化材として、マグネシウム系土壌固化材１０ｋｇを添加、混合して、抑草材を得た。
（６）裸地における雑草発生の抑止に及ぼす抑草処理の影響
次に、上記（５）で製造した抑草材の効果を調べるため、次のような試験を実施した。
【００４２】
植生のみられない土盛り造成地に１区面積３６００ｃｍ2（６０ｃｍ×６０ｃｍ）の試験区を設け、そこに何の処理もしない無処理区、上記抑草材を施工する抑草材処理区、シート材を敷設した後に上記抑草材を施工するシート材＋抑草材処理区の３処理区を設けた。
【００４３】
抑草材処理区では、クワなどで土壌表面を均平に整えて鎮圧した上に上記抑草材を約３ｃｍ深に敷きこみ、均平にならしたのち、鎮圧した。
また、シート材＋抑草材処理区では、鎮圧した土壌表面に生分解性織布を展張し、その上に上記抑草材を約３ｃｍ深に敷きこみ、均平にならしたのち、鎮圧した。
【００４４】
そして、処理２ヶ月後、および４ヶ月後に、各処理区の雑草発生量と硬度を測定した。結果を表５に示す。
【００４５】
【表５】
2005230005.tif 000006
【００４６】
表５に示したとおり、処理２ヶ月後、無処理区では雑草発生がみられたが、抑草材区およびシート材＋抑草材区では雑草の発生が全くみられなかった。このことは、土壌中の埋没種子からの雑草の出芽や飛来種子からの雑草定着が、上記両処理区において完全に防ぐことができたことを意味する。さらに、４ヶ月後における雑草発生量は、無処理区に比べて抑草材区では約１／１０に、シート材＋抑草材区では雑草の発生が全くみられなかった。
【００４７】
なお、本試験の無処理区における主要発生雑草種はスギナであり、４ヶ月後の抑草材区で発生した雑草種もスギナであった。これらは、土壌中に混在するスギナ地下茎より出芽したものである。抑草材区でも抑草材層を貫いて一部の葉茎が出芽したことから、裸地状態の土壌からの雑草発生を抑制する場合は、抑草材を敷設する処理だけでも十分であるが、雑草の地下茎や木本植物の地下部が土壌表層中に混在する可能性がある場合には、シート材と抑草材とを組み合わせた処理が有益とみなされる。
（７）雑草繁茂地における雑草発生の抑止に及ぼす抑草処理の影響
雑草が繁茂した土盛り造成地に１区面積３６００ｃｍ2（６０ｃｍ×６０ｃｍ）の試験区を５区作り、以下の処理区を設けた。
【００４８】
無処理区１：繁茂雑草を刈り取ることなく放任する処理区、無処理区２：繁茂雑草の地上部を根際部より刈り取る以外、何らの抑草処理も加えない処理区、抑草材区：繁茂雑草の地上部を根際部より刈り取ったのち、土壌表面に鎮圧をかけ、その上に抑草材を約３ｃｍ深に敷き詰め、さらに鎮圧をかける処理区、シート材＋抑草材区１：上記の抑草材区と同様に繁茂雑草の地上部を根際部より刈り取ったのち、土壌表面に鎮圧をかけ、その上に生分解性織布を展張し、その上に抑草材を約３ｃｍ深に敷き詰め、さらに鎮圧をかける処理区、シート材＋抑草材区２：繁茂雑草の地上部を刈り取ることなく押し倒しつつ鎮圧をかけ、その上に生分解性織布を展張し、その上に抑草材を約３ｃｍ深に敷き詰め、さらに鎮圧をかける処理区。
【００４９】
そして、処理２ヶ月後、および４ヶ月後に、各処理区の雑草発生量と硬度を測定した。結果を表６に示す。
【００５０】
【表６】
2005230005.tif 000007
【００５１】
表６から明らかなように、処理２ヶ月後、繁茂雑草地上部を刈り取った無処理区２の雑草生育量は、放任した無処理区１の約半分程度であった。抑草材区では、上記無処理区２の３３％の雑草発生を示した。これに対して、シート材＋抑草材区１では、無処理区２の１６％、シート材＋抑草材区２では、無処理区２の４％の雑草発生量であった。
【００５２】
これらの結果から、植生の認められる場所における抑草には、地上部刈り取り＋抑草材処理だけでは不十分であり、土壌表層に混在する雑草根や根茎を除去することが望ましいと考えられるが、このような処理には多大な労力を要する。
【００５３】
この点、抑草材の下にシート材を展張しておけば、雑草発生が顕著に抑制されること、その効果は、雑草の地上部を刈り取るよりも、雑草の地上部を押し倒した上にシート材を展張した処理の方が効果的であることが明らかとなった。雑草の地上部を押し倒した上にシート材を展張する処理は、土中の雑草根や根茎の除去作業、あるいは雑草地上部の刈り取り作業を省略でき、植生地における雑草発生抑制法として有益であるとみなされた。
（８）土壌固化材の添加による抑草効果への影響
抑草材として、次の４種を用意した。
【００５４】
抑草材１：浄水ケーキを粉砕、篩い分けして得た粒径４．５ｍｍ以上１０ｍｍ以下の粗粒物と粒径４．５ｍｍ未満の細粒物とを５０：５０の混合比で混合し、細粒物１００ｋｇに対し、アレロパシー活性物質を含む植物性資材として、コーヒー粕２．５ｋｇを添加、混合したもの、抑草材２：抑草材１に対して、さらに１０重量％のマグネシウム系土壌固化材を添加、混合したもの、抑草材３：抑草材１に対して、さらに１０重量％の石灰系土壌固化材を添加、混合したもの、抑草材４：抑草材１に対して、さらに１０重量％のセメント系土壌固化材を添加、混合したもの。
【００５５】
そして、培養土を充填したポット土壌表面に検定植物としてコマツナ（２５粒／ポット）およびケンタッキーブルーグラス（０．２ｇ／ポット）を散播した上に、上記４種の抑草材のいずれかを１．５ｃｍ深に充填、鎮圧して、播種９日後にコマツナの出芽状況、播種１６日後にケンタッキーブルーグラスの出芽状況（ポット壁面との隙間より出芽した個体を除いたポット当りの全出芽数）を調査した。その結果を表７に示す。
【００５６】
【表７】
2005230005.tif 000008
【００５７】
表７に示すように、いずれの土壌固化材を添加した場合とも、土壌固化材を添加しない場合に比べ、両植物とも出芽が抑制される結果となった。このことから、土壌固化材の添加が出芽抑止に有益に働くことが明確となった。
【００５８】
なお、土壌固化材の中では、マグネシウム系のものが最も高い出芽抑止効果を示した。また、双子葉植物であるコマツナに比べて、針状様の葉身をもつ単子葉植物であるケンタッキーブルーグラスの出芽抑止率は劣っていた。したがって、さらに出芽抑止率を高めるためには、抑草材層の厚みを１．５ｃｍ深以上とするか、あるいは、硬度を高めるためにマグネシウム系土壌固化材の添加割合をさらに高めるなどの対応をとることが必要であると考えられる。
【００５９】
そこで、次に抑草材層の厚みと抑草効果との関係について検証した。
培養土を充填したポット土壌表面に検定植物としてコマツナ（２５粒／ポット）およびケンタッキーブルーグラス（０．２ｇ／ポット）を散播した上に、最も抑草効果が高かった上記抑草材２を０．５ｃｍ深、１．５ｃｍ深、３．０ｃｍ深、５．０ｃｍ深に充填、鎮圧して、播種１６日後にコマツナの出芽状況、播種２４日後にケンタッキーブルーグラスの出芽状況（ポット壁面との隙間より出芽した個体を除いたポット当りの全出芽数）を調査した。その結果を表８に示す。
【００６０】
【表８】
2005230005.tif 000009
【００６１】
表８に示した結果から、１０重量％のマグネシウム系土壌固化材を添加、混合した抑草材の場合、抑草材層の厚みを３ｃｍ以上とすることにより、高い雑草発生抑止効果が期待できるものと考えられる。
（９）植物性資材および土壌固化材の混練の有無による抑草効果の違い
アレロパシー活性物質を含む植物性資材および土壌固化材のそれぞれを混練したものと混練しないものとで、抑草効果がどの程度変わるかについて試験を行った。
【００６２】
具体的には、浄水ケーキを粒径１０ｍｍ以下に粉砕して、この粉砕物を４．５ｍｍ目の篩にて篩い分けすることにより、粒径４．５ｍｍ以上１０ｍｍ以下の粗粒物と粒径４．５ｍｍ未満の細粒物とし、これら粗粒物と細粒物とを５０：５０の混合比で混合した。
【００６３】
この混合物に対し、アレロパシー活性物質を含む植物性資材のみを添加、混練したもの（試料１）、土壌固化材のみを添加、混練したもの（試料２）、アレロパシー活性物質を含む植物性資材および土壌固化材を添加、混練したもの（試料３）を調製した。
【００６４】
アレロパシー活性物質を含む植物性資材としては、モミガラを用い、混練濃度を上記細粒物に対する重量比で５％とした。土壌固化材としては、マグネシウム系土壌固化材を用い、混練濃度を上記細粒物に対する重量比で５％とした。
【００６５】
以上の試料１〜３について、抑草効果を試験するため、施肥した土壌をポットに充填し、シロクローバおよびイタリアンライグラスの種を播き、その上から上記各試料を１．５〜２ｃｍ深となるように充填した（処理区１〜３）。また、上記各試料を施用していない対照用ポットも用意した（対照区）。なお、シロクローバおよびイタリアンライグラス双方とも、１種の試料につき３ポットを用意し、対照用ポットについても３ポットを用意した。
【００６６】
播種１週間後、２週間後に出芽したポット数を確認し、シロクローバおよびイタリアンライグラス双方とも、２週間後の１ポット当りの出芽数を計数して、対照用ポットに対する相対値で抑草率を算出した。結果を下記表９、表１０に示す。
【００６７】
【表９】
2005230005.tif 000010
【００６８】
【表１０】
2005230005.tif 000011
【００６９】
表９および表１０に示した結果から、アレロパシー活性物質を含む植物性資材および土壌固化材の両方を混和してから施用したときに、高い抑草効果が得られることがわかる。特に、シロクローバに対する抑草効果がきわめて高いのはもちろんのこと、イタリアンライグラスに対しても、９９．２％の抑草率ときわめて高い値を示すことから、アレロパシー活性物質を含む植物性資材のみを添加したものに比べ、単子葉植物に対する抑草効果が高いと考えられる。
（１０）有機高分子樹脂固化材を添加した場合の抑草効果（その１）
浄水ケーキを粒径１０ｍｍ以下に粉砕して、この粉砕物を４．５ｍｍ目の篩にて篩い分けすることにより、粒径４．５ｍｍ以上１０ｍｍ以下の粗粒物と粒径４．５ｍｍ未満の細粒物とし、これら粗粒物と細粒物とを５０：５０の混合比で混合した。そして、この粗粒物と細粒物との混合物のみからなる試料（以下、試料ａと称する）と、同混合物に対して更にアレロパシー活性物質を含む植物性資材および土壌固化材を添加、混練した試料（以下、試料ｂと称する）を調製した。アレロパシー活性物質を含む植物性資材としては、モミガラを用い、混練濃度を上記細粒物に対する重量比で５％とした。土壌固化材としては、生分解性の有機高分子樹脂固化材（本実験例では、ポリビニルアルコール系固化材）を用い、混練濃度を上記細粒物に対する重量比で５％とした。
【００７０】
ポット（２２ｃｍ×２２ｃｍ）に土壌を充填後、検定植物としてコマツナ種子０．５ｇを散播したのち、同一土壌で薄く覆土した。その後、ポット内にコドラード（２０ｃｍ×２０ｃｍ）を置き、上記試料ａ，ｂを用いて以下のような３種の処理区Ａ〜Ｃを構成した。（処理区Ａ）：上記試料ａを土壌表面に敷張。（処理区Ｂ）：上記試料ａを土壌表面に敷張後、敷張された試料ａの表面から転圧を加える。（処理区Ｃ）：上記試料ｂを土壌表面に敷張後、敷張された試料ｂの表面から転圧を加える。
【００７１】
以上のような処理区Ａ〜Ｃにおいて、灌水等の管理を行いつつ、経日的に出芽状況を調査した。結果を図３に示す。
浄水ケーキのみからなる試料ａを敷張した処理区Ａでは、１週間後より出芽し始め、９日から１５日後にかけて急速に出芽数が増加した。処理区Ａに対してさらに転圧処理を加えた処理区Ｂでは出芽速度は遅れ、かつ出芽数も処理区Ａの２５％程度まで低下した。さらにアレロパシー活性物質および有機高分子樹脂土壌固化材を加えた試料ｂを用いて処理区Ｂと同等な転圧処理を施した処理区Ｃでは、調査終了日である４１日後においても出芽が認められず、完全に出芽が抑制されることが明らかとなった。
（１１）有機高分子樹脂固化材を添加した場合の抑草効果（その２）
浄水ケーキを粒径１０ｍｍ以下に粉砕して、この粉砕物を４．５ｍｍ目の篩にて篩い分けすることにより、粒径４．５ｍｍ以上１０ｍｍ以下の粗粒物と粒径４．５ｍｍ未満の細粒物とし、これら粗粒物と細粒物とを５０：５０の混合比で混合した。そして、この粗粒物と細粒物との混合物に対し、更にアレロパシー活性物質を含む植物性資材および土壌固化材を添加、混練した３種の試料を調製した。３種の試料の違いは、添加した土壌固化材の違いであり、具体的には、マグネシウム系土壌固化材を添加したもの、生分解性の有機高分子樹脂固化材（本実験例では、ポリビニルアルコール系固化材）を添加したもの、非生分解性の有機高分子樹脂固化材（本実験例では、エチレン‐酢酸ビニル共重合エマルジョン系固化材）を添加したもの、以上３種を用意した。アレロパシー活性物質を含む植物性資材としては、モミガラを用い、混練濃度を上記細粒物に対する重量比で５％とした。また、各土壌固化材の混練濃度も上記細粒物に対する重量比で５％とした。
【００７２】
セイタカアワダチソウの地下茎（約４ｃｍ長）４片をポット土壌中に埋設し、その土壌表面に上記各試料を敷張して処理区１〜３を構成した。また、同様にセイタカアワダチソウの地下茎（約４ｃｍ長）４片をポット土壌中に埋設した後、その土壌表面に生分解性シートを展張し、その上に上記各試料を敷張して処理区４〜６を構成した。また、比較のため、セイタカアワダチソウの地下茎（約４ｃｍ長）４片をポット土壌中に埋設しただけの処理区７（対照区）も構成した。
【００７３】
以上のような処理区１〜７において、灌水等の管理を行い、３５日後の出芽状況を調査した。結果を表１１に示す。
【００７４】
【表１１】
2005230005.tif 000012
【００７５】
表１１から明らかなように、シート展張の有無や固化材の種類によらず、抑草材で処理された処理区１〜６では、いずれも全く出芽が認められなかった。一方、抑草材で処理されていない処理区７では、セイタカアワダチソウの出芽が認められ、さらに従前より土壌に含まれていた埋没種子からの出芽も認められた。このことから、抑草材で処理により、完全に出芽が抑制されることが明らかとなった。
【００７６】
以上、本発明の実施形態について説明したが、本発明は上記の具体的な一実施形態に限定されず、この他にも種々の形態で実施することができる。
【図面の簡単な説明】
【００７７】
【図１】アレロパシー活性物質を含む植物の抽出液を与えた種子の発芽率を示すグラフである。
【図２】アレロパシー活性物質を含む植物の抽出液を与えた種子の幼根伸長率を示すグラフである。
【図３】有機高分子樹脂固化材を添加した場合と添加しない場合の出芽抑制効果の違いを示すグラフである。
【図１】
2005230005.tif 000013
【図２】
2005230005.tif 000014
【図３】
2005230005.tif 000015